(57)【要約】  【課題】  天井カセット型空気調和機の送風ファンを上下２段構成としたものにおいて、ファンモータの回転軸が長くなり、輸送時等に、回転軸の先端側の横ぶれにより、吸込口側の送風ファンとベルマウスが衝突して生じる送風ファンの破損を防止するための係止部材を提供する。  【解決手段】  天井面に取付けられるケース本体内に、ファンモータの回転軸が連結されるハブと、ハブに対向し且つ中心部に吸込口を有するシュラウドと、シュラウドの内径面を入口側とし、ハブの外径とシュラウドの外径との間を出口側とする上下２段に区画する仕切板と、ハブおよび仕切板とシュラウドおよび仕切板との間に夫々配置される複数のブレードとを備えた送風ファン５と、吸込口内に出口端が挿入されたベルマウス７とを備えてなり、ケース本体の梱包時に、吸込口側の送風ファンとベルマウスとの間に、送風ファンの動きを規制する係止部材１２を介在させてなる構成となっている。  【選択図】図９
2008062966.tif 000002
【特許請求の範囲】
【請求項１】
天井面に取付けられるケース本体内に、ファンモータの回転軸が連結されるハブと、同ハブに対向し且つ中心部に吸込口を有するシュラウドと、同シュラウドの内径面を入口側とし、前記ハブの外径と前記シュラウドの外径との間を出口側とする上下２段に区画する仕切板と、前記ハブおよび前記仕切板と前記シュラウドおよび前記仕切板との間に夫々配置される複数のブレードとを備えた送風ファンと、前記吸込口内に出口端が挿入されたベルマウスとを備えてなり、
前記ケース本体の梱包時に、前記吸込口側の前記送風ファンと前記ベルマウスとの間に
、前記送風ファンの動きを規制する係止部材を介在させてなることを特徴とする天井カセット型空気調和機。
【請求項２】
前記係止部材は、矩形状ダンボール板の４隅を三角形状に下方に折曲げ、各四辺の前記三角形状の折曲げ点の内側に夫々切込みを入れて長方形部を形成して下方に折曲げ、前記４隅が扇状になるよう形成してなることを特徴とする請求項１に記載の天井カセット型空気調和機。
【請求項３】
前記係止部材を前記ケース本体の吸込口側より、前記三角形状部が前記ベルマウスに夫々当接し、前記長方形部が前記吸込口側の送風ファンに夫々当接するように挿入してなることを特徴とする請求項１または請求項２に記載の天井カセット型空気調和機。
【発明の詳細な説明】
【技術分野】
【０００１】
本発明は、天井面に取付けられる天井カセット型空気調和機に係わり、より詳細には、送風ファンを上下２段構成としたものにおいて、輸送時等に、ファンモータの回転軸の横ぶれによる送風ファンとベルマウスの衝突により生じる送風ファンの破損を防止するための係止部材の構造に関する。
【背景技術】
【０００２】
従来の天井面に取付けられる空気調和機として、図１１、図１２および図１３に示すようなものが知られている（例えば、特許文献１参照。）。
【０００３】
図１２（Ａ）に示すように、ケース本体を構成する天井板1a’とファンモータ４’との間に、隙間Ａ’をもたせた構成であるが、ケース本体の梱包作業時の落下衝撃などによって生じるファンモータ４’の振動を吸収することができず、同ファンモータ４’が衝突して天井板1a’が変形したり、図１２（Ｂ）で示す矢印Ｂ’のように送風ファン５’が振動しベルマウス７’に衝突して該箇所が損傷してしまうなどの問題点を有していた。
【０００４】
図１１と、図１３（Ａ）および図１３（Ｂ）とで示すように、１’は天井面に埋め込まれるケース本体、２’は同ケース本体１’の下面中央に設けられた吸込口、３’は下面周辺に設けられた吹出口、４’は前記ケース本体１’内に形成された前記吸込口２’と前記吹出口３’とを結ぶ空気通路に設けられ、前記吸込口２’に対向して上下方向の駆動軸を有したファンモータ’、５’は同ファンモータ４’の駆動軸により駆動される送風ファン、６’は同送風ファン５’と前記吹出口３’との間に配置された熱交換器、７’は前記送風ファン５’と前記吸込口２’との間に設けられたベルマウスで、前記ケース本体１’を構成する天井板1a’と前記ファンモータ４’との間に、例えば前記ケース本体１’の梱包作業時の落下衝撃などによって生じる前記ファンモータ４’の振動を吸収するための後述する緩衝装置を設けた構成となっている。
【０００５】
前記ファンモータ４’の振動を吸収するための緩衝装置が、前記天井板1a’に穿設された透孔1b’からなる取付部と、同透孔1b’に螺合するねじ部8a’を備えた緩衝部材８’とからなり、前記ケース本体１’を梱包する際、前記緩衝部材８’を前記透孔1b’に螺着してその先端部を前記ファンモータ４’に当接または圧接するようにし、前記ケース本体１’を天井面に埋め込んで設置した際、前記緩衝部材８’を回転させてその先端部を前記ファンモータ４’から離間させるようにした構成となっており、これによって、前記ケース本体１’を梱包する時に、前記緩衝部材８’の先端部を前記ファンモータ４’に当接または圧接することによって、仮に、前記ケース本体１’を誤って落下させたような場合であっても、前記ファンモータ４’が振動しないよう強固に保持できるようになり、上記に説明した従来技術のように、前記天井板1a’が変形したり、前記送風ファン５’が前記ベルマウス７’に衝突して該箇所が損傷しないようにした構造となる。
【０００６】
しかしながら、上記構成の場合、ケース本体１’の落下等によるファンモータ４’の振動で生じる送風ファン５’とベルマウス７’の衝突による損傷は防止できるが、輸送時等に、ファンモータの回転軸の横ぶれによる送風ファンとベルマウスの衝突により生じる送風ファンの破損を防止することはできない。
【特許文献１】特開２００２−２５５６３９号公報（２〜３頁、図１，２，４，６）
【発明の開示】
【発明が解決しようとする課題】
【０００７】
本発明は、上記問題点に鑑み、天井カセット型空気調和機の送風ファンを上下２段構成としたものにおいて、ファンモータの回転軸が長くなり、輸送時等に、回転軸の先端側の横ぶれにより、吸込口側の送風ファンとベルマウスが衝突して生じる送風ファンの破損を防止するための係止部材を提供することを目的とする。
【課題を解決するための手段】
【０００８】
本発明は、上記課題を解決するため、天井面に取付けられるケース本体内に、ファンモータの回転軸が連結されるハブと、同ハブに対向し且つ中心部に吸込口を有するシュラウドと、同シュラウドの内径面を入口側とし、前記ハブの外径と前記シュラウドの外径との間を出口側とする上下２段に区画する仕切板と、前記ハブおよび前記仕切板と前記シュラウドおよび前記仕切板との間に夫々配置される複数のブレードとを備えた送風ファンと、前記吸込口内に出口端が挿入されたベルマウスとを備えてなり、
前記ケース本体の梱包時に、前記吸込口側の前記送風ファンと前記ベルマウスとの間に係止部材を介在させてなる構成となっている。
【０００９】
また、前記係止部材は、矩形状ダンボール板の４隅を三角形状に下方に折曲げ、各四辺の前記三角形状の折曲げ点の内側に夫々切込みを入れて長方形部を形成して下方に折曲げ、前記４隅が扇状になるよう形成してなる構成となっている。
【００１０】
また、前記係止部材を前記ケース本体の吸込口側より、前記三角形状部が前記ベルマウスに夫々当接し、前記長方形部が前記吸込口側の送風ファンに夫々当接するように挿入してなる構成となっている。
【発明の効果】
【００１１】
本発明によると、ケース本体の梱包時に、４隅を三角形状に、各四辺を長方形に形成して下方に折曲げたダンボール製の係止部材をケース本体の吸込口側より、各三角形状部がベルマウスに夫々当接し、長方形部が吸込口側の送風ファンに夫々当接するように挿入してなる構成とすることにより、輸送時等に、ファンモータの回転軸の先端側の横ぶれにより、吸込口側の送風ファン５ベルマウスが衝突して生じる送風ファンの破損を防止することができ、ケース本体の上面から係止部材の着脱が容易にできる天井カセット型空気調和機とすることができるようになっている。
【発明を実施するための最良の形態】
【００１２】
以下、本発明の実施の形態を、添付図面に基づいた実施例として詳細に説明する。
図１は本発明による天井カセット型空気調和機横断面図、図２は送風ファンの要部断面図、図３は送風ファンを示す外観斜視図である。
【実施例１】
【００１３】
天井カセット型空気調和機は図１で示すように、１は天井面に埋め込まれるケース本体、２は同ケース本体１の下面中央に設けられた吸込口、３は下面周辺に設けられた吹出口、４は前記ケース本体１内に形成された前記吸込口２と前記吹出口３とを結ぶ空気通路に設けられ、前記吸込口２に対向して上下方向の駆動軸を有したファンモータ、５は同ファンモータ４の駆動軸により駆動される送風ファン、６は同送風ファン５と前記吹出口３との間に配置された熱交換器、７は前記送風ファン５と前記吸込口２との間に設けられたベルマウスである。
【００１４】
前記送風ファン５は、図２および図３に示すように、ファンモータ４の回転軸４ａが固定される中央部を釣鐘状に膨出させた略円盤状のハブ８と、前記吸込口２に向かい流入口を開口した円環状のシュラウド９と、同シュラウド９と前記ハブ８との間に配設された複数のブレード１０と、前記ハブ８および前記シュラウド９間の流路を上下に区画する仕切板１１とからなっている。同仕切板１１は、一端が前記シュラウド９の上端を同心円状に区画するとともに、他端が前記流路の出口を上下方向に区画されている。
【００１５】
また、前記ブレード１０は、前記ハブ８および前記シュラウド９間の流路を前記仕切板１１により上下２段に区画され、前記仕切板１１と前記シュラウド９間の上段ブレード１０ａと、前記ハブ８と前記仕切板１１間の下段ブレード１０ｂとにより構成されている。
【００１６】
図１に示すように、前記ケース本体１の上面壁に螺子等により固定されたファンモータ４の回転軸４ａが前記ハブ８の中央部に固定されるようになっており、前記駆動モータ４により前記ハブ８、前記シュラウド９及び前記ブレード１０が一体となって回転すると、図３の矢印で示すように、前記シュラウド９の流入口から室内の空気が吸引され、続いて前記ブレード１０の回転に伴い前記熱交換器６に向かい放射状に空気が吐出されるようになっている。
【００１７】
前記送風ファン５と前記ベルマウス７は、例えば、輸送中の振動（横ゆれ）により衝突して前記送風ファン５が破損してしまう場合がある。そこで、前記送風ファン５と前記ベルマウス７との間に係止部材１２を介在させる必要がある。
【００１８】
図４に示すように、係止部材１２は矩形状ダンボール板１３の４隅を折り目１３ａに沿って三角部１３Ａを下方に折曲げ、各四辺の前記三角形状の折曲げ点１３ｂの内側に夫々切込み１３ｃを入れて長方形部１３Ｂを形成し，折り目１３ｄに沿って下方に折曲げ、前記４隅が扇状になるよう形成した構成となっている。図５は前記係止部材１２を上面から見た図で、図６はその斜視図である。
【００１９】
図７は前記係止部材１２の挿入方向を示すもので、前記ケース本体１の吸込口２側より、係止部材１２の折曲げ部分を下方に向けて挿入する。図８に係止部材１２の挿入後の状態を示す。
【００２０】
図９は前記送風ファン５および前記ベルマウス７と前記係止部材１２の各部の配置関係を示したもので、前記係止部材１２の各扇状の前記三角部１３Ａの両端１３ｂが前記ベルマウス７の内壁面に当接するように挿入される。また、前記係止部材１２の各長方形部１３Ｂの両端が前記送風ファン５の内壁面に当接するように挿入される。
【００２１】
図１０は図９のＣ−Ｃ断面を示したもので、前記ベルマウス７と前記仕切板１１との間隔Ｄ１が前記係止部材１２の前記三角部１３Ａの挿入範囲である（図９のＡ部）。また、前記仕切板１１と前記送風ファン５との間隔Ｄ２が前記係止部材１２の長方形部１３Ｂの挿入範囲である（図９のＢ部）。
【００２２】
上記構成において、前記ケース本体１の梱包時に、４隅を三角形状に、各四辺を長方形に形成して下方に折曲げた係止部材１２を前記ケース本体１の吸込口２側より、各三角形状部１３Ａが前記ベルマウス７に夫々当接し、長方形部１３Ｂが前記吸込口２側の送風ファン５に夫々当接するように挿入してなる構成とすることにより、輸送時等に、ファンモータ４の回転軸４ａの先端側の横ぶれにより、吸込口２側の送風ファン５とベルマウス７が衝突して生じる送風ファンの破損を防止することができ、ケース本体の上面から係止部材１２の着脱が容易にできる天井カセット型空気調和機となる。
【図面の簡単な説明】
【００２３】
【図１】本発明による天井カセット型空気調和機を示す断面図である。
【図２】本発明による天井カセット型空気調和機の送風ファンを示す断面図である。
【図３】本発明による天井カセット型空気調和機の送風ファンを示す斜視図である。
【図４】本発明による係止部材の平面図である。
【図５】本発明による係止部材の折り曲げ後の上面図である。
【図６】本発明による係止部材の斜視図である。
【図７】本発明による係止部材を空気調和機に挿入方向を示した図である。
【図８】本発明による係止部材を空気調和機に挿入した後の上面図である。
【図９】本発明による係止部材の挿入を説明するための上面図である。
【図１０】図９のｃ−ｃ部の断面図である。
【図１１】従来の天井カセット型空気調和機を示す断面図である。
【図１２】従来の天井カセット型空気調和機の説明図で、（Ａ），および（Ｂ）は要部拡大図である。
【図１３】従来の係止部材を示す図で、（Ａ）は取付状態を示すもので、（Ｂ）は係止部材の拡大図である。
【符号の説明】
【００２４】
１  ケース本体
２  吸込口
３  吹出口
４  ファンモータ
５  送風ファン
６  熱交換器
７  ベルマウス
８  ハブ
９  シュラウド
１０  ブレード
１０ａ  上段ブレード
１０ｂ  下段ブレード
１１  仕切板
１２  係止部材
１３  ダンボール板
１３ａ，１３ｄ  折り目
１３ｂ  折り曲げ点
１３ｃ  切込み
１３Ａ  三角部
１３Ｂ  長方形部
【図１】
2008062966.tif 000003
【図２】
2008062966.tif 000004
【図３】
2008062966.tif 000005
【図４】
2008062966.tif 000006
【図５】
2008062966.tif 000007
【図６】
2008062966.tif 000008
【図７】
2008062966.tif 000009
【図８】
2008062966.tif 000010
【図９】
2008062966.tif 000011
【図１０】
2008062966.tif 000012
【図１１】
2008062966.tif 000013
【図１２】
2008062966.tif 000014
【図１３】
2008062966.tif 000015